【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
暗号化されたデータであって、前記データが時間の経過により内容が変更されるデータ復号鍵により復号化されるデータを受信するデータ受信装置であって、
第1の暗号鍵により暗号化された前記データを受信する受信器、および
受信された前記データおよび第2の暗号鍵により暗号化された前記データ復号鍵の少なくとも一方を復号化する復号器と接続され、復号化された前記データまたは前記データ復号鍵を、再暗号化鍵により再暗号化する暗号器を有し、
前記暗号器と接続され、再暗号化された前記データおよび再暗号化された前記データ復号鍵のうち少なくとも一方を、記憶媒体に記憶することを特徴とするデータ受信装置。
【請求項２】
請求項１に記載のデータ受信装置であって、
さらに、前記暗号器と接続された多重化器を有し、
前記復号器は、前記データ復号鍵を復号化し、
前記暗号器は、復号化された前記データ復号鍵を暗号化し、
前記多重化器は、再暗号化された前記データ復号鍵と受信された前記データの対応付けを行い、
前記対応付けられた再暗号化された前記データ復号鍵および前記データを、前記記憶媒体に記憶することを特徴とするデータ受信装置。
【請求項３】
請求項２に記載のデータ受信装置であって、
前記暗号器は、当該暗号器で暗号化された前記データ復号鍵を復号する再復号鍵を生成し、再暗号化された前記データ復号鍵と前記復号鍵を互いに関連付けて第２の記憶媒体に記憶することを特徴とするデータ受信装置。
【請求項４】
請求項２に記載のデータ受信装置であって、
さらに、前記受信器に接続された第１の分離器および第２の分離器を有し、
前記受信器は、暗号化された前記データおよび暗号化された前記データ復号鍵を含む送信情報を受信し、
前記第１の分離器は、前記送信情報を前記データおよび前記データ復号鍵に分離し、分離された前記データを復号化して表示装置に送信し、
前記第2の分離器は、前記送信情報を前記データおよび前記データ復号鍵に分離し、分離された前記データ復号鍵を前記復号器に送信し、分離された前記データを前記多重器に送信することを特徴とするデータ受信装置。
【請求項５】
請求項２に記載のデータ受信装置であって、
前記暗号器は、当該データ受信装置を識別する識別情報に基づいて作成された前記再暗号化鍵を用いることを特徴とするデータ受信装置。
【請求項６】
請求項５に記載のデータ受信装置であって、
前記暗号器は、乱数発生器で発生する乱数に基づいた前記再暗号化鍵を用いることを特徴とするデータ受信装置。
【請求項７】
請求項２に記載のデータ受信装置であって、
前記復号器を有する処理装置と接続するインターフェースユニットを有し、
前記暗号器は、前記処理装置を識別する識別情報に基づいて作成された前記再暗号化鍵を用いることを特徴とするデータ受信装置。
【請求項８】
請求項７に記載のデータ受信装置であって、
前記暗号器は、さらに乱数発生器で発生する乱数に基づいた前記再暗号化鍵を用いることを特徴とするデータ受信装置。
【請求項９】
請求項２に記載のデータ受信装置であって、
当該データ受信装置は、前記記憶媒体をさらに有することを特徴とするデータ受信装置。
【請求項１０】
請求項２に記載のデータ受信装置であって、
当該データ受信装置は、バスを介して前記記憶媒体と接続することを特徴とするデータ受信装置。
【請求項１１】
請求項２に記載のデータ受信装置であって、
さらに、当該データ受信装置の利用者からの入力に応じて、前記暗号器で暗号化された前記データ復号鍵を復号化し、復号化された前記データ復号鍵を用いて前記記憶媒体に記憶された前記データを復号化する第2の復号器、および
前記第2の復号器と接続され、復号化された前記データを出力する出力器を有することを特徴とするデータ受信装置。
【請求項１２】
請求項１に記載のデータ受信装置であって、
前記復号器は、受信された前記データを復号化し、
前記暗号器は、復号化された前記データを暗号化し、暗号化された前記データを復号するための第２の復号鍵を生成し、
前記暗号器で暗号化された前記データを前記記憶媒体に、前記第２の復号鍵を第２の記憶媒体に互いに関連付けて記憶することを特徴とするデータ受信装置。
【請求項１３】
請求項１２に記載のデータ受信装置であって、
さらに、前記受信器に接続された第１の分離器および第２の分離器を有し、
前記受信器は、暗号化された前記データおよび暗号化された前記データ復号鍵を含む送信情報を受信し、
前記第１の分離器は、前記送信情報を前記データおよび前記データ復号鍵に分離し、分離された前記データを復号化して表示装置に送信し、
前記第２の分離器は、前記送信情報を前記データおよび前記データ復号鍵に分離し、分離された前記データを前記復号器に送信することを特徴とするデータ受信装置。
【請求項１４】
請求項１２に記載のデータ受信装置であって、
前記暗号器は、当該データ受信装置を識別する識別情報に基づいて作成された前記再暗号化鍵を用いることを特徴とするデータ受信装置。
【請求項１５】
請求項１４に記載のデータ受信装置であって、
前記暗号器は、さらに乱数発生器で発生する乱数に基づいた前記再暗号化鍵を用いることを特徴とするデータ受信装置。
【請求項１６】
請求項１２に記載のデータ受信装置であって、
さらに、前記復号器を有する処理装置と接続するインターフェースユニットを有し、
前記暗号器は、前記処理装置を識別する識別情報に基づいて作成された前記再暗号化鍵を用いることを特徴とするデータ受信装置。
【請求項１７】
請求項１６に記載のデータ受信装置であって、
前記暗号器は、さらに乱数発生器で発生する乱数に基づいた前記再暗号化鍵を用いることを特徴とするデータ受信装置。
【請求項１８】
請求項１２に記載のデータ受信装置であって、
当該データ受信装置は、前記記憶媒体をさらに有することを特徴とするデータ受信装置。
【請求項１９】
請求項１２に記載のデータ受信装置であって、
当該データ受信装置は、前記記憶媒体とバスを介して接続することを特徴とするデータ受信装置。
【請求項２０】
請求項１２に記載のデータ受信装置であって、
前記第2の記憶媒体を有する第2の処理装置と接続する第2のインターフェースユニットを有することを特徴とするデータ受信装置。
【請求項２１】
請求項１２に記載のデータ受信装置であって、
さらに、当該データ受信装置の利用者からの入力に応じて、前記第2の復号鍵を用いて前記記憶媒体に記憶された前記データを復号化する第2の復号器、および
前記第2の復号器と接続され、復号化された前記データを出力する出力器を有することを特徴とするデータ受信装置。
【請求項２２】
請求項１に記載のデータ受信装置であって、
前記受信器は、放送局から放送される暗号化された前記データおよび所定周期ごとに内容が変更され、暗号化されたデータ復号鍵を含む放送情報を受信することを特徴とするデータ受信装置
【請求項２３】
請求項１に記載のデータ受信装置であって、
前記第1の暗号鍵は、前記第2の暗号鍵であることを特徴とするデータ受信装置。
【請求項２４】
暗号化されたデータであって、前記データが時間の経過により内容が変更されるデータ復号鍵により復号化されるデータを再生するデータ再生装置であって、
記憶媒体から第1の暗号鍵で暗号化された前記データおよび第2の暗号鍵で暗号化された前記データ復号鍵を読み出す手段、
前記データ復号鍵を復号化する手段、
復号された前記データ復号鍵を用いて、読み出されたデータを復号化する手段、および
復号化された前記データを出力する手段とを有することを特徴とするデータ再生装置。
【請求項２５】
請求項３に記載のデータ受信装置であって、さらに、
前記第２の記憶媒体を有する第２の処理装置と接続する第２のインターフェースユニットを有することを特徴とするデータ受信装置。
【請求項２６】
請求項２５に記載のデータ受信装置であって、
前記第２のインターフェースユニットは、暗号通信を用いて、前記第２の記憶媒体に格納される前記再復号鍵を送受信することを特徴とするデータ受信装置。
【請求項２７】
請求項２０に記載のデータ受信装置であって、
前記第２のインターフェースユニットは、暗号通信を用いて、前記第２の記憶媒体に格納される前記再復号鍵を送受信することを特徴とするデータ受信装置。
【請求項２８】
請求項１に記載のデータ受信装置であって、
さらに、前記暗号器と接続され、１以上の鍵を記憶する鍵記憶媒体を有し、
前記暗号器は、前記鍵記憶媒体に記憶された鍵のうち少なくとも１つを用いて、復号化された前記データおよび復号化された前記データ復号鍵のうち少なくとも一方を再暗号化し、前記再暗号化に用いられた鍵と前記再暗号化された前記データおよび再暗号化された前記データ復号鍵のうち少なくとも一方を関連付け、前記再暗号化された前記データおよび再暗号化された前記データ復号鍵のうち少なくとも一方を、前記記憶媒体に格納することを特徴とするデータ受信装置。
【請求項２９】
請求項１に記載のデータ受信装置であって、
前記暗号器は、少なくとも復号化された前記データを再暗号化することを特徴とするデータ受信装置。